(57)【要約】      （修正有）【課題】施錠時にダイヤルの番号合わせが不要なダイヤル錠の提供。【解決手段】筒状の外ケース６の内側に設けた回転軸６ｂと、回転軸の端部に係合されて一体に回転しデッドボルトを出没させるテールピース７と、回転軸に回転自在に嵌合されて暗証番号を合わせるダイヤル８と、回転軸に嵌合され一体に回転されるとともに暗証番号が合わされたときに回転軸に沿って移動して外ケースの解錠方向の回転を許容する規制板１６と、回転軸に回転自在に嵌合されるとともに取付座１８に固定され、規制板の施錠方向の回転を許容し解錠方向の回転のときには規制板を回転軸に沿って変換ダイヤル１２の切欠き部に向かって移動させる傾斜部を有する回転規制座１７と、を配設した。外ケースを施錠方向に回転させると規制板が回転許容されて同じく施錠方向に回転し、テールピースを介してデッドボルトが突出して施錠されるため、施錠に際してダイヤルの番号合わせが不要である。【選択図】図１
2007092483.tif 000002
【特許請求の範囲】
【請求項１】
筒状のケースであってその片側開口部を塞ぐ壁面の中央部でケース内側に設けた回転軸を有する外ケースと、
該回転軸の端部に係合されて一体に回転しデッドボルトを出没させるテールピースと、
前記壁面に近い側から順に前記回転軸に同軸に積層状態にして回転自在に嵌合されて暗証番号を合わせるダイヤルと、
前記ダイヤルが前記回転軸の回りに回転された場合に弾性部材の付勢力により元の番号位置に逆回転させて戻す平板状の番号リセット手段と、
前記回転軸に嵌合され前記ダイヤルに突設された爪により前記回転軸回りに回転され暗証番号に前記ダイヤルを合わせると外周部に設けた複数個の切欠き部が前記回転軸の半径方向に揃うように同心円状に配設され暗証番号変換の際には前記ダイヤルの爪との係合が解除される複数個の変換ダイヤルと、
前記回転軸に嵌合され一体に回転されるとともに暗証番号が合わされたときに前記回転軸に沿って移動して前記変換ダイヤルの切欠き部に嵌合し前記外ケースの解錠方向の回転を許容する規制板と、
前記回転軸に回転自在に嵌合されるとともに錠箱に固定される取付座に固定され、前記規制板の施錠方向の回転を許容し解錠方向の回転のときには該規制板を前記回転軸に沿って前記変換ダイヤルの切欠き部に向かって移動させる傾斜部を有する回転規制座と、をそれぞれ配設して成るダイヤル錠であって、
前記外ケースを施錠方向に回転させることで前記規制板が前記回転規制座によって回転許容されて同じく施錠方向に回転し、前記テールピースを介してデッドボルトが突出して施錠され、施錠に際して前記ダイヤルの番号合わせが不必要であること、
を特徴とする簡易ダイヤル錠。
【請求項２】
回転規制座は、傾斜部が平板体に円弧状突出部の両端部に形成され、この円弧状突出部が回転軸を中心に対称形に配設されていること、
を特徴とする請求項１に記載の簡易ダイヤル錠。
【請求項３】
外ケースの回転軸には、その軸心に沿って貫通孔が設けられ、該貫通孔に摺動自在で外側に付勢される変換軸が嵌装され、該変換軸の頭部を外ケースの壁面側から内側に向けて押し込むことで、前記変換軸の後端部が変換ダイヤルに係合し回転軸に沿って押し込み、当該変換ダイヤルとダイヤルの爪との係合が解除されること、
を特徴とする請求項１または２に記載の簡易ダイヤル錠。
【発明の詳細な説明】
【技術分野】
【０００１】
本発明は、例えば、一戸建て住宅の主扉以外の勝手口の扉等に使用される簡易なダイヤル錠に関するものである。
【背景技術】
【０００２】
従来、一戸建て住宅における勝手口の扉には、シリンダー錠若しくはダイヤル錠等の施錠装置が備えられている。これらの施錠装置で、シリンダー錠の場合には、前記勝手口扉を中から外に出る時に鍵を持ち歩く。また、ダイヤル錠の場合には、単独で使用するよりも、ワンドアーツーロックの補助錠として使用され、暗証番号で解錠される。内側には内締まりができるようにサムターンが設けられる。このダイヤル錠は施錠・解錠して、把手を連成して操作性を改良したものが知られている。（特許文献１参照）。
【特許文献１】特開平０９−１４４３９９号公報
【発明の開示】
【発明が解決しようとする課題】
【０００３】
しかし、従来の勝手口扉における施錠装置では、鍵を持って施錠して出かけなければならず、ちょっとしたゴミ出し等の外出時には煩わしいものであり、そのため、つい施錠せずに外出し、その僅かな隙に空き巣に入られるという被害が生じることがある。また、施錠装置がダイヤル錠であると、鍵を一々持ち出す必要はないが、施錠する際にもダイヤルの暗証番号を合わせた後、その暗証番号をくずす必要があって、これもちょっとした外出時には手間の掛かるものである。更に、ダイヤルの暗証番号変更も簡易に行えるようにすべきである。勝手口扉の片開きする方向によって、ダイヤル錠の施錠・解錠の方向も変更できれば便宜である。
本発明に係る簡易ダイヤル錠は、このような課題を解決するために提案されたものである。
【課題を解決するための手段】
【０００４】
本発明に係る簡易ダイヤル錠の上記課題を解決して目的を達成するための要旨は、 筒状のケースであってその片側開口部を塞ぐ壁面の中央部でケース内側に設けた回転軸を有する外ケースと、該回転軸の端部に係合されて一体に回転しデッドボルトを出没させるテールピースと、前記壁面に近い側から順に前記回転軸に同軸に積層状態にして回転自在に嵌合されて暗証番号を合わせるダイヤルと、前記ダイヤルが前記回転軸の回りに回転された場合に弾性部材の付勢力により元の番号位置に逆回転させて戻す平板状の番号リセット手段と、前記回転軸に嵌合され前記ダイヤルに突設された爪により前記回転軸回りに回転され暗証番号に前記ダイヤルを合わせると外周部に設けた複数個の切欠き部が前記回転軸の半径方向に揃うように同心円状に配設され暗証番号変換の際には前記ダイヤルの爪との係合が解除される複数個の変換ダイヤルと、前記回転軸に嵌合され一体に回転されるとともに暗証番号が合わされたときに前記回転軸に沿って移動して前記変換ダイヤルの切欠き部に嵌合し前記外ケースの解錠方向の回転を許容する規制板と、前記回転軸に回転自在に嵌合されるとともに錠箱に固定される取付座に固定され、前記規制板の施錠方向の回転を許容し解錠方向の回転のときには該規制板を前記回転軸に沿って前記変換ダイヤルの切欠き部に向かって移動させる傾斜部を有する回転規制座と、をそれぞれ配設して成るダイヤル錠であって、前記外ケースを施錠方向に回転させることで前記規制板が前記回転規制座によって回転許容されて同じく施錠方向に回転し、前記テールピースを介してデッドボルトが突出して施錠され、施錠に際して前記ダイヤルの番号合わせが不必要であることである。
【０００５】
前記回転規制座は、傾斜部が平板体に円弧状突出部の両端部に形成され、この円弧状突出部が回転軸を中心に対称形に配設されていること、；
前記外ケースの回転軸には、その軸心に沿って貫通孔が設けられ、該貫通孔に摺動自在で外側に付勢される変換軸が嵌装され、該変換軸の頭部を外ケースの壁面側から内側に向けて押し込むことで、前記変換軸の後端部が変換ダイヤルに係合し回転軸に沿って押し込にみ、当該変換ダイヤルとダイヤルの爪との係合が解除されること、；
を含むものである。
【発明の効果】
【０００６】
本発明の簡易ダイヤル錠によれば、例えば、勝手口のワンドアーツーロックの２番目の補助錠として設置された場合に、ちょっとした外出において、この簡易ダイヤル錠の外ケースを、施錠方向に回すだけで施錠でき、複数個のダイヤルを番号合わせする必要がないので、手間が掛からず便宜である。
また、前記回転規制座は、傾斜部が平板体に円弧状突出部の両端部に形成され、この円弧状突出部が回転軸を中心に対称形に配設されているので、前記規制板が回転軸回りに時計方向若しくは反時計方向に回転されても、どちらの回転でも前記傾斜部が存在して、当該規制板を変換ダイヤルの切欠き部に向かって移動させる。よって、勝手口扉の回転開きが右でも左でも、対応させることのできる簡易ダイヤル錠となる。
ダイヤルの暗証番号を変更する場合、変換軸を付勢力に抗して内側に押し込むことで、変換ダイヤルが離間されて、該変換ダイヤルとダイヤルの爪との係合が解除され、任意の番号に設定することができる。
【発明を実施するための最良の形態】
【０００７】
本発明に係る簡易ダイヤル錠１は、図１乃至図２に示すように、例えば、勝手口扉２における２番目の補助錠として設けられる。そして、錠箱４にサムターン５と共に固定され、これらによってデッドボルト３が前記扉２の側端面から出没されるものである。
【０００８】
前記簡易ダイヤル錠１は、筒状のケースであってその片側開口部を塞ぐ壁面６ａの中央部でケース内側に設けた回転軸６ｂを有する外ケース６と、該回転軸６ｂの端部に係合されて一体に回転しデッドボルト３を出没させるテールピース７とがある。
【０００９】
前記外ケース６は、図３に示すように、壁面６ａの中央部に貫通孔６ｃがあり回転軸６ｂを貫いている。また、壁面６ａには、ダイヤルの番号が視認できる窓６ｄと、外周の一部にダイヤルを外部に露出させる円弧状の開口部６ｅが設けられている。前記回転軸６ｂの後端部から中央部にかけての外周面の２箇所にスリット６ｆが設けられている。
【００１０】
更に、前記壁面６ａに近い側から順に、前記回転軸６ｂに同軸に積層状態にして回転自在に嵌合されて暗証番号を合わせる、一例として３個のダイヤル８（８ａ，８ｂ，８ｃ）がある。図４に示すように、各ダイヤル８には、暗証番号操作のための爪８ｄが設けられ、図１（Ａ）に示すように、回転軸６ｂの半径方向で異なる位置に設けられている。各ダイヤル８の表面側に、Ｎｏを示す番号数字（０，１，２…５）が表されている。
【００１１】
次に、前記ダイヤル８が前記回転軸６ｂの回りに回転された場合に、図４に示す弾性部材（例えば、リセットコイルスプリング）９の付勢力により元の番号位置に、逆回転させて戻す平板状の番号リセット手段であるリセット板１０と、ダイヤル８を前方に押しつけるための介在板であるバックアップ板１１とがある。
【００１２】
前記回転軸６ｂに嵌合され前記ダイヤル８に突設された爪８ｄにより、前記回転軸６ｂ回りに回転され暗証番号に前記ダイヤル８を合わせると、図４に示すように、外周部に設けた複数個の切欠き部１２ａが前記回転軸６ｂの半径方向に揃うように同心円状に配設され、暗証番号変換の際には前記ダイヤルの爪８ｄとの係合が解除される複数個、一例として３個の変換ダイヤル１２（１２ｂ，１２ｃ，１２ｄ）とがある。
【００１３】
各変換ダイヤル１２の全部表面には、前記爪８ｄが入り込む凹部１２ｅが、数字の数だけ各々設けられている。また、これらの３個の変換ダイヤル１２は、回転軸６ｂに同心円状に嵌装され、図１に示すように、最も半径内側の変換ダイヤル１２ｄが後方に押されると段部で係合して他の変換ダイヤル１２ｃ，１２ｂも同時に後方に移動される。そして、この後方に、円板の周縁部にその周方向に複数個の突起が設けられたクリック用のクリック板１３と、該クリック板１３を前方にコイルスプリング１５で押し出すために介在するクリック押し板１４とが配設される。
【００１４】
図１及び図５に示すように、前記回転軸６ｂに嵌合され一体に回転されるとともに暗証番号が合わされたときに前記回転軸６ｂに沿って移動して前記変換ダイヤル１２の切欠き部１２ａに嵌合し前記外ケース６の解錠方向の回転を許容する規制板１６と、図１及び図６に示すように、前記回転軸６ｂに回転自在に嵌合されるとともに錠箱４に固定される取付座１８に固定され、前記規制板１６の施錠方向の回転を許容し解錠方向の回転のときには該規制板１６を前記回転軸６ｂに沿って前記変換ダイヤル１２の切欠き部１２ａに向かって移動させる傾斜部１７ａを有する回転規制座１７と、がある。
【００１５】
前記規制板１６は、図５に示すように、全体が円板体であり、その中央部に回転軸６ｂを挿通させる貫通孔１６ａがあり、その孔壁面から対向配置で２箇所に突起１６ｂ，１６ｃが設けられている。この突起１６ｂ，１６ｃが、回転軸６ｂにおけるスリット６ｆ（図３（Ｂ）参照）に嵌合し、回転軸６ｂと共に同方向に回転するものである。
【００１６】
また、この規制板１６の前側表面には、半径方向に沿って立設した解除板１６ｄがある。この解除板１６ｄが、前記変換ダイヤル１２の切欠き部１２ａに、これらが半径方向に揃っていれば、進入するものである。更に、外周縁部には、２箇所に対向配置にして、突起部１６ｅ，１６ｆが設けられている。この突起部１６ｅ，１６ｆは、後方に尖らせた断面三角形の突起である。この突起の斜面が回転軸６ｂによって回転され、回転規制座１７の傾斜部１７ａ，１７ｄに当接して、回転軸６ｂに沿って当該規制板１６が前方に押しやられるものである。なお、この突起部（大）１６ｅと突起部（小）１６ｆとは、半径方向の長さが少し異なっていて、区別できるようになっている。
【００１７】
前記回転規制座１７は、図６に示すように、全体が盆のような円板体であり、その中央部に回転軸６ｂを挿通させる貫通孔１７ｂがあり、その周囲に、取付固定用のネジ穴１７ｃが３箇所に設けられている。このネジ穴１７ｃは、その取付方により、この回転規制座１７を図６（Ｅ），（Ｆ）に示すように、Ｌ字状と逆Ｌ字状との、９０度回転させた状態にして固定できる様になっている。
【００１８】
回転規制座１７の外周縁部には、中心部に対して対称にして設けられている傾斜部１７ａ，１７ｄがある。前記規制板１６の突起部１６ｅが幅広の傾斜部１７ａに当接し、突起部１６ｆが幅小の傾斜部１７ｄに当接するものである。一組の傾斜部１７ａ，１７ｄは、略９０度に配置されている。前記ネジ穴１７ｃの取付け方により、例えば、図６（Ｅ）における傾斜部１７ａ，１７ｄが、図６（Ｆ）に示すように、反時計方向に９０度回転して配置される。
【００１９】
よって、前記規制板１６をこの回転規制座に１７に重ねて回転させると、図６（Ｅ）では、反時計方向に回転すると突起部１６ｅが傾斜部１７ａに当接して昇り、同時に、突起部１６ｆが傾斜部１７ｄに当接して昇り、解錠方向となる。逆に、図６（Ｆ）では、時計方向に回転すると突起部１６ｅが傾斜部１７ａに当接して昇り、同時に、突起部１６ｆが傾斜部１７ｄに当接して昇り、解錠方向となる。このように、解錠方向が変わって、外ケース６の使い勝手が、右回し、若しくは、左回しに設定されるものである
【００２０】
前記回転規制座１７の後方には、図１に示すように、取付座１８が回転軸６ｂに嵌合される。この取付座１８は、前記回転規制座１７を固定し、更に、状箱４に固定されるものである。そのほか、回転軸１６ｂには、貫通孔６ｃに変換軸１９と、これを前方に付勢するコイルバネ２０、それを前方に押すテールピース７が挿着され、リテーナ２１と、前記テールピース７が後方に抜けないようにする平行ピン２２とが付けられ、外ケース戻し用のバネ２３と復帰ばね受け２４とが回転軸６ｂに設けられる。前記復帰ばね受け２４が回転軸６ｂと共に回転して、手を離すと外ケース６が前記バネ２３により復帰ばね受け２４を介して元の位置に戻されるものである。
【００２１】
このようにして構成される簡易ダイヤル錠１の使用方法を説明する。まず、この簡易ダイヤル錠１は、図２に示すように、勝手口扉２に付けた場合に、外ケース６を施錠方向に回すだけで、施錠できる。これは、図６（Ａ）に示すように、回転規制座１７における対向する傾斜部１７ａ，１７ａの周方向の間に、規制板１６の突起部１６ｅ又は突起部１６ｆが入り込み、略９０度回転可能となる。特に回転に障害となるものがないので、施錠方向の回転は常に可能である。
【００２２】
これにより、デッドボルト３が扉２の側端面から突出し、サムターン５の施錠方向に回転する。その後、外ケースから手を離すと、捻られたバネ２３と復帰ばね受け２４により、外ケース６が元の位置に戻る。前記サムターン５とデッドボルト３は施錠状態のままである。このように、前記外ケース６を施錠方向に回転させることで前記規制板１６が前記回転規制座１７によって回転許容されていて、同じく施錠方向に回転し、前記テールピース７を介してデッドボルト３が突出して施錠され、施錠に際して前記ダイヤルの番号合わせが不必要である。
【００２３】
次に、本発明の簡易ダイヤル錠１は、前記勝手口扉２の開き方向の勝手違いに対応して外ケース６の回転方向を設定することができる。前記回転規制座１７の取付座１８への固定において、３箇所のネジ穴１７ｃの取付位置により、図６（Ｅ）に示すように固定すると、回転軸６ｂ及びテールピース７の基準位置が決まっており、同時に規制板１６の突起部１６ｅ，１６ｆの位置が決まっているので、反時計方向が解錠方向となる。また、図７（Ｃ）に示すように、時計方向が施錠方向となる。
【００２４】
これに対して、図６（Ｆ）及び図７（Ａ），（Ｂ）に示すように、回転規制座１７を取付座１８に固定すると、時計方向ｂが解錠方向となり、反時計方向ａが施錠方向となる。このように、規制板１６の突起部１６ｅ，１６ｆに対する回転規制座１７の傾斜部１７ａ，１７ｄの位置が、対称形に設けられていて、ネジ穴１７ｃによる取り付け方で９０度変わることで、規制板１６の施錠及び解錠の作用方向が変わり、これを回転軸６ｂによって共に回転させる外ケース６の使い勝手が変わるものである。よって、前記扉２のヒンジの位置が左右で異なる場合に、使い勝手が良いようにこの簡易ダイヤル錠１の外ケース６の回転方向を、容易に右勝手、左勝手に設定することができる。
【００２５】
本発明に係る簡易ダイヤル錠１は、ダイヤル８（８ａ，８ｂ，８ｃ）の暗証番号を、容易に変更することができる。図１（Ａ），図４及び図８（Ａ）に示すように、ある暗証番号で使用されていると、各ダイヤル８の爪８ｄの一端が、それぞれ、変換ダイヤル１２の凹部１２ｅに入り込んでいる。そして、各ダイヤル８を暗証番号に揃えて解錠状態にする。
【００２６】
前記解錠状態では、まだ外ケース１６を解錠方向に回転させていないので、規制板１６は前方向に移動していない。変換ダイヤル１２の３箇所の切欠き部１２ａが半径方向に揃っているので、解除板１６ｄと向き合っている状態になる。
【００２７】
次に、暗証番号の変換のために、変換軸１９を後方に押すと、図８（Ｂ）に示すように、前記変換軸１９の後端部１９ａが変換ダイヤル１２ｄを後方に押し、この変換ダイヤル１２ｄを介して他の変換ダイヤル１２ｂ，１２ｃを、コイルバネ２０の付勢力に抗して後方に押し込む。これにより、規制板１６の解除板１６ｄに前記３箇所の切欠き部１２ａが嵌合し、変換ダイヤル１２が後方に移動可能となって移動したことで、前記爪８ｄとの係合が解除される。
【００２８】
その後、前記変換軸１９の押し込み状態を維持したまま、各ダイヤル８を任意の番号に設定する。次に、指を離して前記変換軸１９を前方に戻す。前記変換ダイヤル１２ｂ，１２ｃ，１２ｄが、クリック板１３と押し板１４を介してコイルスプリング１５で前方に押し出される。前記爪８ｄがそれぞれ凹部１２ｅに嵌合する。その後、ダイヤル８を自由にすると、弾性部材９とリセット板１０により、例えば、０（ゼロ）にリセットされる。こうして、新しい暗証番号に設定される。
【図面の簡単な説明】
【００２９】
【図１】本発明に係る簡易ダイヤル錠１の縦断面図（Ａ）、左側面図（Ｂ）、右側面図（Ｃ）である。
【図２】同本発明の簡易ダイヤル錠１を勝手口扉２に取り付ける様子を示す説明図である。
【図３】同簡易ダイヤル錠１における外ケース６の、左側面図（Ａ）、縦断面図（Ｂ）、右側面図（Ｃ）である。
【図４】同簡易ダイヤル錠１の一部の分解者視図である。
【図５】同簡易ダイヤル錠１における規制板１６の正面図（Ａ）、ＡーＡ線断面図（Ｂ）、背面図（Ｃ）、突起部１６ｆが三角形状であることを示す側面図（Ｄ）である。
【図６】同簡易ダイヤル状１における回転規制座１７の正面図（Ａ）、縦断面図（Ｂ）、背面図（Ｃ）、一部拡大図（Ｄ）、使い勝手を示す説明図（Ｅ），（Ｆ）である。
【図７】同簡易ダイヤル状１の右回し、左回しを説明する説明図（Ａ），（Ｂ），（Ｃ）である。
【図８】同簡易ダイヤル１において暗証番号を変換する際の、変換前（Ａ）と変換時の状態を示す説明図（Ａ），（Ｂ）である。
【符号の説明】
【００３０】
１          簡易ダイヤル錠、
２          勝手口扉、
３          デッドボルト、
４          錠箱、
５          サムターン、
６          外ケース、                ６ａ                壁面、
６ｂ        回転軸、                  ６ｃ                貫通孔、
６ｄ        窓、                      ６ｅ                開口部、
６ｆ        スリット、
７          テールプース、
８          ダイヤル、                ８ａ，８ｂ，８ｃ    ダイヤル、
８ｄ        爪、
９          弾性部材、
１０        リセット板、
１１        バックアップ板、
１２        変換ダイヤル              １２ａ              切欠き部、
１２ｂ，１２ｃ，１２ｄ        変換ダイヤル、
１２ｅ      凹部、
１３        クリック板、
１４        クリック押し板、
１５        コイルスプリング、
１６        規制板、                  １６ａ              貫通孔、
１６ｂ，１６ｃ        突起、
１６ｄ        解除板、                １６ｅ，１６ｆ      突起部、
１７        回転規制座、              １７ａ，１７ｄ      傾斜部、
１７ｂ      貫通孔、                  １７ｃ              ネジ穴、
１８        取付座、
１９        変換軸、
２０        コイルバネ、          
２１        リテーナ、
２２        平行ピン、
２３        バネ、
２４        復帰受けバネ。
【図１】
2007092483.tif 000003
【図２】
2007092483.tif 000004
【図３】
2007092483.tif 000005
【図４】
2007092483.tif 000006
【図５】
2007092483.tif 000007
【図６】
2007092483.tif 000008
【図７】
2007092483.tif 000009
【図８】
2007092483.tif 000010